(57)【要約】  【課題】    空気流れの改善によって高いガス除去効率を実現する膜エレメント及びこれを用いた膜ユニットを提供する。  【解決手段】  支持枠２の開口部２４部分に一対の膜３、３を対向状態で取り付け、該各膜３、３の間に水路１１を形成する一方、該各膜３、３の外面側を通風路１２とすると共に、該通風路１２に臨む上記支持枠２の両外表面２ａ，２ａで且つ上記開口部２４に対応する部分には該開口部２４を横架した状態で複数のセパレータ２３，２３，・・を設けてなる膜エレメントにおいて、上記セパレータ２３を、上記通風路１２を流れる空気流Ａに乱れを生じさせ得る構成とする。係る構成によれば、上記膜３の近傍を流れる空気流Ａは上記セパレータ２３によってその流れが乱されて乱流状態となり、その結果、上記膜３に接触する汚染ガスの量が増加し、それだけガス除去効率が向上する。【選択図】        図５
2005279465.tif 000002
【特許請求の範囲】
【請求項１】
平板状の支持枠（２）の開口部（２４）部分に、気体の透過を許容し水の透過を阻止する性状をもつ一対の膜（３）、（３）を対向状態で取り付け、該各膜（３）、（３）の間に水路（１１）を形成する一方、該各膜（３）、（３）の外面側を通風路（１２）とすると共に、該通風路（１２）に臨む上記支持枠（２）の両外表面（２ａ），（２ａ）で且つ上記開口部（２４）に対応する部分には該開口部（２４）を横架した状態で複数のセパレータ（２３），（２３），・・を設けてなる膜エレメントであって、
上記セパレータ（２３）が、上記通風路（１２）を流れる空気流（Ａ）に乱れを生じさせ得る構成とされていることを特徴とする膜エレメント。
【請求項２】
請求項１において、
上記セパレータ（２３）が、帯板状形態をもち且つ通風方向に対して所定の傾斜角をもって直線状に延設されていることを特徴とする膜エレメント。
【請求項３】
請求項１において、
上記セパレータ（２３）が、帯板状形態をもち且つ通風方向に対して左右交互に屈曲した状態で延設されていることを特徴とする膜エレメント。
【請求項４】
請求項１において、
上記セパレータ（２３）が、帯板状形態をもち且つ通風方向に対して波形状に延設されていることを特徴とする膜エレメント。
【請求項５】
請求項１，２，３又は４において、
上記支持枠２の一方の外表面（２ａ）に設けられた上記セパレータ（２３）と、他方の外表面（２ａ）に設けられた上記セパレータ（２３）とが、平面視において非重合となるように設定されていることを特徴とする膜エレメント。
【請求項６】
請求項１，２，３又は４において、
上記膜エレメント（１０）は、厚さ方向に複数積層されるもので、積層方向に隣接する膜エレメント（１０），（１０）間においては該各膜エレメント（１０），（１０）の上記セパレータ（２３）同士が積層方向に当接係合することで該各膜エレメント（１０），（１０）間に形成される上記通風路（１２）の通路面積を確保する構成であることを特徴とする膜エレメント。
【請求項７】
請求項１から６の何れかに記載の膜エレメント（１０）を複数積層して構成されたことを特徴とする膜ユニット。
【発明の詳細な説明】
【技術分野】
【０００１】
本願発明は、空気中に含まれた汚染ガスを水に溶解させて除去するための膜エレメント及び該膜エレメントを用いた膜ユニットの構造に関するものである。
【背景技術】
【０００２】
従来から、気体の透過を許容し水の透過を阻止する性状をもつ膜を介して汚染ガスを含んだ空気と該汚染ガスを溶解する性状をもつ水等の水を接触させ、汚染ガスが上記膜を透過して水に溶解することで該空気中の汚染ガス成分を除去して該空気の清浄化を図る技術が種々提案されている（例えば、特許文献１参照）。
【０００３】
特許文献１に示されるものは、枠体の両面に、その中抜き部分を覆うように防水透湿シートを固定し、この防水透湿シートの内側に水を、外側に空気をそれぞれ流すことで空気に含まれた汚染ガスが膜を通して水に溶解し除去されるものである。この場合、上記膜はその内部を流れる水の圧力によって外側へ膨張変形することから、これを抑えるために、該膜をその外側から支持するようにリブ状のセパレータを所定間隔で形成し、上記膜の内圧に対する強度アップを図っている。尚、このセパレータは、膜エレメントが複数積層される場合には、積層方向に隣接するエレメントのセパレータと協働して、隣接するエレメント間の間隔を保持して該間隔部分を送風路として有効に機能させるものである。
【０００４】
【特許文献１】特開２００３−９７８３１号公報（段落「００１３」〜「００１８」、図１、図        ２）。
【発明の開示】
【発明が解決しようとする課題】
【０００５】
ところで、膜エレメントにおける汚染ガスの除去性能、即ち、空気中に含まれる汚染ガスの水への溶解性能は、膜を挟んでその一方側を流れる水の流れ状態と他方側を流れる空気の流れ状態の双方の影響を受けるが、特に除去対象の汚染ガスを含んだ空気の流れ状態が膜エレメント１のガス除去率に与える影響は大きいと言える。例えば、空気が膜面に触れる期間、即ち、ガス成分の水への溶解時間が長いほど、また空気の流れが乱れて新気（即ち、ガス濃度が高い空気）が膜面に多く接触するほど、ガス除去効率は高くなる。
【０００６】
しかるに、特許文献２に示される膜エレメントにおいては、該膜エレメントの外面に形成された上記セパレータによって通風路がセパレータ配置方向に区画される状態となるが、該セパレータそのものが直帯板状形態とされ、これが通風方向に沿って平行に延設されているので、通路断面が単純な矩形形状となり且つ該通風路内における上記セパレータの存在は通風抵抗には殆ど影響を与えない。このため、上記通風路を上記膜に沿って流れる空気流は、その流れが乱されることが少なく、膜面近傍を層流状態で流れることとなり、この結果、汚染ガス濃度の高い新気が膜面に接触する頻度が少なくなり、ガス除去効率が十分に得られないという問題があった。
【０００７】
そこで本願発明は、高いガス除去効率を確保できる膜エレメント及びこれをもちいて構成される膜ユニットを提供することを目的としてなされたものである。
【課題を解決するための手段】
【０００８】
本願発明ではかかる課題を解決するための具体的手段として次のような構成を採用している。
【０００９】
本願の第１の発明に係る膜エレメント１０では、平板状の支持枠２の開口部２４部分に、気体の透過を許容し水の透過を阻止する性状をもつ一対の膜３、３を対向状態で取り付け、該各膜３、３の間に水路１１を形成する一方、該各膜３、３の外面側を通風路１２とすると共に、該通風路１２に臨む上記支持枠２の両外表面２ａ，２ａで且つ上記開口部２４に対応する部分には該開口部２４を横架した状態で複数のセパレータ２３，２３，・・を設けてなる膜エレメントにおいて、上記セパレータ２３を、上記通風路１２を流れる空気流Ａに乱れを生じさせ得る構成としたことを特徴としている。
【００１０】
本願の第２の発明では、上記第１の発明に係る膜エレメントにおいて、上記セパレータ２３を、帯板状形態とし且つ通風方向に対して所定の傾斜角をもって直線状に延設したことを特徴としている。
【００１１】
本願の第３の発明では、上記第１の発明に係る膜エレメントにおいて、上記セパレータ２３を、帯板状形態とし且つ通風方向に対して左右交互に屈曲した状態で延設したことを特徴としている。
【００１２】
本願の第４の発明では、上記第１の発明に係る膜エレメントにおいて、上記セパレータ２３を、帯板状形態とし且つ通風方向に対して波形状に延設したことを特徴としている。
【００１３】
本願の第５の発明では、上記第１、第２、第３又は第４の発明に係る膜エレメントにおいて、上記支持枠２の一方の外表面２ａに設けられた上記セパレータ２３と、他方の外表面２ａに設けられた上記セパレータ２３とが、平面視において非重合となるように設定したことを特徴としている。
【００１４】
本願の第６の発明では、上記第１、第２、第３又は第４の発明に係る膜エレメントにおいて、上記膜エレメント１０が厚さ方向に複数積層されるものであって、積層方向に隣接する膜エレメント１０，１０間においては該各膜エレメント１０，１０の上記セパレータ２３同士が積層方向に当接係合することで該各膜エレメント１０，１０間に形成される上記通風路１２の通路面積を確保する構成としたことを特徴としている。
【００１５】
本願の第７の発明に係る膜ユニットでは、上記第１から第６の発明の何れかに係る膜エレメント１０を複数積層して構成されていることを特徴としている。
【発明の効果】
【００１６】
本願発明では次のような効果が得られる。
【００１７】
（ａ）本願の第１の発明に係る膜エレメントによれば、平板状の支持枠２の開口部２４部分に、気体の透過を許容し水の透過を阻止する性状をもつ一対の膜３、３を対向状態で取り付け、該各膜３、３の間に水路１１を形成する一方、該各膜３、３の外面側を通風路１２とすると共に、該通風路１２に臨む上記支持枠２の両外表面２ａ，２ａで且つ上記開口部２４に対応する部分には該開口部２４を横架した状態で複数のセパレータ２３，２３，・・を設けてなる膜エレメントにおいて、上記セパレータ２３を、上記通風路１２を流れる空気流Ａに乱れを生じさせ得る構成としているので、上記膜３の近傍を流れる空気流Ａは上記セパレータ２３によってその流れが乱されて乱流状態となり、この結果、上記膜３に接触する汚染ガスの量が増加し、それだけガス除去効率が向上することになる。
【００１８】
（ｂ）本願の第２の発明に係る膜エレメントによれば、上記（ａ）に記載の効果に加えて次のような特有の効果が得られる。即ち、この発明では、上記セパレータ２３を、帯板状形態とし且つ通風方向に対して所定の傾斜角をもって直線状に延設しているので、上記通風路１２に流入する空気流Ａが上記セパレータ２３に衝突しその流れが乱されながら上記膜３の近傍を流れることで、該空気流Ａの乱流化が促進され、ガス除去効率の向上効果が確実に得られる。
【００１９】
（ｃ）本願の第３の発明に係る膜エレメントによれば、上記（ａ）に記載の効果に加えて次のような特有の効果が得られる。即ち、この発明では、上記セパレータ２３を、帯板状形態とし且つ通風方向に対して左右交互に屈曲した状態で延設しているので、上記通風路１２に流入する空気流Ａが上記セパレータ２３に衝突しその流れが乱されながら上記膜３の近傍を流れることで、該空気流Ａの乱流化が促進され、ガス除去効率の向上効果が確実に得られる。この場合、上記セパレータ２３が屈曲形状とされているので、上記第２の発明のように上記セパレータ２３が直線状形態である場合に比して、該セパレータ２３による空気流Ａの乱流化作用が高く、このため通風路１２の通路長さが短いような場合に好適である。
【００２０】
（ｄ）本願の第４の発明に係る膜エレメントによれば、上記（ａ）に記載の効果に加えて次のような特有の効果が得られる。即ち、この発明では、上記セパレータ２３を、帯板状形態とし且つ通風方向に対して波形状に延設しているので、上記通風路１２に流入する空気流Ａが上記セパレータ２３に衝突しその流れが乱されながら上記膜３の近傍を流れることで、該空気流Ａの乱流化が促進され、ガス除去効率の向上効果が確実に得られる。この場合、上記セパレータ２３が屈曲形状とされているので、上記第２の発明のように上記セパレータ２３が直線状形態である場合に比して、該セパレータ２３による空気流Ａの乱流化作用が高く、このため通風路１２の通路長さが短いような場合に好適である。さらに、この発明のセパレータ２３は、波形状形態とされているので、乱流化促進効果と通風抵抗の抑制とのバランスをとることが可能である。
【００２１】
（ｆ）本願の第５の発明に係る膜エレメントによれば、上記（ａ）、（ｂ）、（ｃ）又は（ｄ）に記載の効果に加えて次のような特有の効果が得られる。即ち、この発明では、上記支持枠２の一方の外表面２ａに設けられた上記セパレータ２３と、他方の外表面２ａに設けられた上記セパレータ２３とが、平面視において非重合となるように設定しているので、この膜エレメント１０を複数積層して隣接する膜エレメント１０，１０の間に通風路１２を形成した場合、一方の膜エレメント１０寄りを流れる空気と他方の膜エレメント１０寄りを流れる空気が、その流れ途中において攪拌混合され、空気中の汚染ガスの濃度分布が可及的に平準化され、これによってガス除去率の更なる向上が図れる。
【００２２】
（ｆ）本願の第５の発明に係る膜エレメントによれば、上記（ａ）、（ｂ）、（ｃ）又は（ｄ）に記載の効果に加えて次のような特有の効果が得られる。即ち、この発明では、上記膜エレメント１０が厚さ方向に複数積層されるものであって、積層方向に隣接する膜エレメント１０，１０間においては該各膜エレメント１０，１０の上記セパレータ２３同士が積層方向に当接係合することで該各膜エレメント１０，１０間に形成される上記通風路１２の通路面積を確保する構成としているので、上記膜エレメント１０の積層数の多少に拘らず、各膜エレメント１０における通風抵抗は適正状態に維持され、該核膜エレメント１０単体でも、これを積層した状態でも、該各膜エレメント１０は高いガス除去率を発揮することとなり、それだけ膜エレメント１０の積層化による能力増大が可能となる。
【００２３】
（ｇ）本願の第６の発明に係る膜ユニットによれば、上記第１から第６の発明の何れかに係る膜エレメント１０を複数積層して構成されているので、該膜ユニットを構成する上記各膜エレメント１０が高いガス除去率をもつものであることから、処理空気量に対応して上記膜エレメント１０の積層数を増加させても、例えば、処理空気量の増加に伴って空気調和機の通風抵抗が増加してガス除去率が低下するようなことがなく、該膜ユニット全体として高いガス除去率が得られる。
【発明を実施するための最良の形態】
【００２４】
以下、本願発明を好適な実施形態に基づいて具体的に説明する。
【００２５】
図１〜図７には、本願発明の実施形態に係る膜エレメント１０を構成するエレメント単位体１、及び該膜エレメント１０を積層連結して構成される膜ユニットＵを示している。
【００２６】
上記レメント単位体１は、図１〜図４に示すように、次述の支持枠２と膜３を備えて構成される。
【００２７】
上記支持枠２は、樹脂材で一体形成された薄肉で且つ長矩形の枠状部材であって、その一方の面（以下、「表面２ａ」という）は、長軸方向の両端部２ｃ、２ｄを、内側部２ｅよりも所定高さだけ高位に位置せしめた段付面とされている。そして、この低位に位置する内側部２ｅには、これを厚さ方向に貫通して長矩形の開口部２４が設けられると共に、該開口部２４部分には、次述の形成されている。
【００２８】
上記セパレータ２３は、次述のように上記支持枠２の他方の面（以下、「裏面２ｂ」という）に張設される膜３を裏打ち支持して該膜３の強度維持（即ち、後述の水路１１内に導入される水の水圧による膜３の過度の膨張変形の防止）を図ることを本来の目的とするものであるが、この実施形態では、さらにこのセパレータ２３に空気流の乱流化促進機能をもたせて膜エレメント１０のガス除去率向上手段として活用するようにしている。
【００２９】
このような機能を上記セパレータ２３に付与すべく、この実施形態においては、図４に示すように、上記セパレータ２３を、縦長矩形の断面形状をもって直線状に延びる帯板状形態とするとともに、これを上記開口部２４の短軸方向（即ち、通風方向）の一側縁２４ａから他側縁２４ｂに跨って、且つ通風方向に対して所定の傾斜角を持たせた状態で形成している。そして、係る構成のセパレータ２３を、上記開口部２４の長軸方向に所定間隔で複数形成している。
【００３０】
このように上記各セパレータ２３を形成したことで、上記開口部２４部分は、その平面視において、該各セパレータ２３によって長軸方向へ複数に区画されるとともに、各区画（即ち、通風路１２となる部分）は通風方向に対して所定の傾斜角をもつことになる。
【００３１】
尚、図４に示すように、上記セパレータ２３の下端面２３ａは、後述の膜３に対する支持性を高めるべく、上記支持枠２の裏面２ｂと略同一高さに設定されている。また、上記セパレータ２３の上端面２３ｂは、上記支持枠２の長軸方向の両端部２ｃ、２ｄの高さと略同一となるように位置設定がされている。
【００３２】
一方、上記支持枠２の裏面２ｂには、図３に示すように、上記開口部２４の外周を取り囲み、さらに上記両端部２ｃ、２ｄにおいては端縁側に向けてそれぞれ矩形状に延出する凹部２５が設けられている。そして、この凹部２５の一端部２５ａと他端部２５ｂのうち、該一端部２５ａのみに、長矩形の形状をもつ水出入孔２６が板厚方向に貫通して形成されている。
【００３３】
さらに、上記支持枠２の裏面２ｂ側の上記開口部２４部分には、該開口部２４全域を覆うようにして膜３が取り付けられている。即ち、上記膜３は、上記開口部２４の内周よりもやや大きめの矩形形状をもち、その外周縁は上記開口部２４の口縁部に展張状態で貼着される一方、内方部分は上記各セパレータ２３，２３、・・によって裏打ち支持されている。上記膜３は、このように上記各セパレータ２３によって直線状に且つ比較的狭い間隔で複数箇所で裏打ち支持されることで、その厚さ方向の剛性が確保される。尚、上記膜３は、気体の透過を許容し水の透過を阻止する性状をもつ多孔質膜材で構成されている。
【００３４】
以上のように構成された上記エレメント単位体１を二枚組み合わせて次述の膜エレメント１０が構成される。
【００３５】
即ち、図５に示すように、同一構成のエレメント単位体１を二枚用意し、これらをその裏面２ｂ同士を対向させると共に、相互に平面上で１８０°相対回転させ、この状態で衝合させて一体化する（尚、この一対のエレメント単位体１，１の一体化は、後述の膜ユニットＵ形成時のボルト締結によって行なわれる）。このように衝合一体化された二枚のエレメント単位体１，１によって膜エレメント１０が構成される。
【００３６】
このように構成された膜エレメント１０においては、一方のエレメント単位体１の上記凹部２５と他方のエレメント単位体１の上記凹部２５が対向してこれら両者間に、上記凹部２５の一端部２５ａから他端部２５ｂに亘って延びる水路１１が形成されると共に、一方のエレメント単位体１における上記水出入孔２６が他方のエレメント単位体１における上記凹部２５の他端部２５ｂに対応し、また他方のエレメント単位体１における上記水出入孔２６が一方のエレメント単位体１における上記凹部２５の他端部２５ｂに対応している。
【００３７】
また、一方のエレメント単位体１に設けられた上記各セパレータ２３と他方のエレメント単位体１に設けられた上記各セパレータ２３は、上記膜エレメント１０の平面視において、相互に交差した状態となっている。
【００３８】
尚、この実施形態では、上下方向において対向連通する一方の膜エレメント１０の凹部２５の一端部２５ａと他方の膜エレメント１０の上記凹部２５の他端部２５ｂで一方の水出入口３１が構成され、また、他方の膜エレメント１０の凹部２５の一端部２５ａと一方の膜エレメント１０の上記凹部２５の他端部２５ｂで他方の水出入口３２が構成される。
【００３９】
従って、上記水路１１は、その一端が上記一方の水出入孔２６を介して上記一方のエレメント単位体１の上記出入口３１に、他端が上記他方の水出入孔２６を介して他方のエレメント単位体１の上記水出入口３２に連通する。このため、流線Ｗで示すように、上記水路１１を流れる水は、一方の（この実施形態では下側の）エレメント単位体１の水出入孔２６から上記水路１１内に導入されたのち、該水路１１内を長軸方向に流れ、最終的には他方の（この実施形態では上側の）エレメント単位体１の水出入孔２６から導出され、さらに上段側の膜エレメント１０に再度導入される。
【００４０】
一方、上記膜エレメント１０の上下両面（即ち、下側のエレメント単位体１の表面２ａと上側のエレメント単位体１の表面２ａ）には、それぞれ上記セパレータ２３が上記膜３をその外側から支持するようにして存在している。そして、このセパレータ２３の形成部分は、次述する膜ユニットＵにおいて通風路１２として機能するが、該膜エレメント１０を単体で用いるような場合には、そのままこれが通風路１２として機能する。
【００４１】
図６及び図７には、上述のように構成された複数個の上記膜エレメント１０を上下方向に積層し且つ相互に連結して構成された膜ユニットＵを示している。
【００４２】
この膜ユニットＵでは、上下方向に隣接する一対の膜エレメント１０，１０間においては、下段側の膜エレメント１０の上面に開口する上記水出入孔２６と、上段側の膜エレメント１０の下面に開口する上記水出入孔２６とが合致して連通するように、平面上において１８０°相対回転させている。このようにして複数の膜エレメント１０を多段に積層連結し、且つその上下両端にそれぞれ端板（図示省略）を配置してこれら両端板間をボルト締結することで、上記各膜エレメント１０が一体化され、膜ユニットＵを構成する。
【００４３】
上記膜ユニットＵにおいては、図７に拡大断面図示するように、上記膜エレメント１０に設けられた上記水路１１と、上下方向に隣接する一対の膜エレメント１０、１０間に形成された通風路１２とが、上下方向に交互に存在すると共に、上記各水路１１，１１、・・は、その一端側の上記水出入口３１によって下段側の膜エレメント１０の水路１１に連通されると共に、その他端側の上記水出入口３２によって上段側の膜エレメント１０の水路１１に連通されており、膜ユニットＵ全体としてみた場合、該膜ユニットＵ内では上記水路１１がジグザグ状に延びている。
【００４４】
また、上記通風路１２は、下段側に位置する膜エレメント１０の上面に存在する上記セパレータ２３と、上段側に位置する膜エレメント１０の下面に存在する上記セパレータ２３とが当接対向することでその上下方向間隔、即ち、通路面積が所定大きさに保持されている。
【００４５】
そして、この膜ユニットＵにおいては、最下段の膜エレメント１０の水出入孔２６から水を導入し、これをジグザグ状に流れ方向を変更させながら順次下段側の水路１１から上段側の水路１１へ流し、最上段の１０の水出入孔２６から排出させる一方、上記各段の上記各通風路１２，１２，・・にそれぞれの一方側から他方側へ空気を流す。この場合、上記膜３を挟んでその一方側を流れる空気に含まれた汚染ガス成分が、該膜３を透過して該膜３の他方側を流れるに水に溶解することで、上記空気から汚染ガスが除去され、該空気の清浄化が図られるものである。
【００４６】
ところで、この膜ユニットＵにおいては、積層方向に隣接する一対の膜エレメント１０，１０の間で、一方の膜エレメント１０の衝合面側の上記各セパレータ２３と、他方の膜エレメント１０の衝合面側の上記各セパレータ２３とが、該膜エレメント１０の平面視において相互に交差した状態でその上端面同士が当接している。従って、これら上下一対の膜エレメント１０，１０の間に形成される上記通風路１２は、全体としては一つの通路であるが、部分的にみれば、上記各セパレータ２３によって細かく区画された多数の通路の集合体となっている。しかも、上側のセパレータ２３と下側のセパレータ２３とが交差状態で延びていることから、区画された通路のそれぞれは、通風方向上流側から下流側へ至る間に、対向する側の膜エレメント１０に設けられた各区画された通路の幾つかと連通することになる。即ち、従来のように各通風路１２が一定形状のまま通風方向上流側から下流側まで延びるのではなく、その間に他の通風路１２と複雑に連通と遮断を繰り返す構成となっている。
【００４７】
この結果、一方の膜エレメント１０側の通風路１２寄りを流れる空気と、他方の膜エレメント１０の通風路１２寄りを流れる空気が、その流れ途中において複雑に交じり合い、十分に攪拌混合されて該空気中の汚染ガスのガス濃度の平準化が促進される。また、上記通風路１２に空気が導入される場合、上記通風路１２内に存在する上記各セパレータ２３が通風方向に対して傾斜配置されていることから該セパレータ２３による通風抵抗を受けてその流れが乱されその乱流化が促進される。これら両者の相乗作用により、、該空気中に含まれていた汚染ガスの上記水への溶解が促進され、高いガス除去率が確保されるものである。
【００４８】
ここで、上記セパレータ２３の他の構造例を幾つか示す。
【００４９】
他の第１の構造例
図８及び図９には、エレメント単位体１の他の第１の構造例を示している。このエレメント単位体１は、上記セパレータ２３を「く」字状に屈曲形成したものである。
【００５０】
係る構成によれば、上記実施形態のものよりもさらに空気の流通抵抗が大きくなり、その乱流化がより一層促進され、汚染ガスの除去効果がさらに向上することが期待できる。
【００５１】
この構造例のものにおいても、上記エレメント単位体１を二枚組み合わせた膜エレメント１０を構成した場合、一方側のセパレータ２３と他方側のセパレータ２３とが、側０の平面視において交差し、該膜エレメント１０を複数積層して膜ユニットＵを構成した場合、通風路１２が他の通風路１２と複雑に連通し、空気の乱流化がさらに促進され、より高いガス除去率が得られることは勿論である。尚、この構造例では、上記セパレータ２３が直線状に屈曲しているが、これを曲線状に屈曲させても良い。
【００５２】
他の第２の構造例
図１０及び図１１には、エレメント単位体１の他の第３の構造例を示している。このエレメント単位体１は、上記第１の構造例においては上記セパレータ２３を「く」字状に屈曲形成していたのに対して、この「く」字状に屈曲形成されたセパレータ２３をさらに反対方向に屈曲させて、全体として「ジグザグ状」形態としたものである。
【００５３】
係る構成によれば、上記第１の構造例のものよりもさらに空気の流通抵抗が大きくなり、その乱流化がより一層促進され、汚染ガスの除去効果がさらに向上するものである。また、上記セパレータ２３が直線状形態である場合に比して、該セパレータ２３による空気流Ａの乱流化作用が高く、このため通風路１２の通路長さが短いような場合に好適である。
【００５４】
さらに、この構造例のものにおいても、上記エレメント単位体１を二枚組み合わせた膜エレメント１０を構成した場合、一方側のセパレータ２３と他方側のセパレータ２３とが、側０の平面視において交差し、該膜エレメント１０を複数積層して膜ユニットＵを構成した場合、通風路１２が他の通風路１２と複雑に連通し、空気の乱流化がさらに促進され、より高いガス除去率が得られることは勿論である。
【００５５】
尚、この構造例では、上記セパレータ２３が直線状に屈曲しているが、これを曲線状、即ち、波状に屈曲させても良い。係る構成とした場合には、乱流化促進効果と通風抵抗の抑制とのバランスをとることが可能である。
【００５６】
以上のように、ガス除去率の向上という観点からは、上記セパレータ２３に空気の流通抵抗増大効果を持たせればよく、特定の形状に限定されるものではない。
【図面の簡単な説明】
【００５７】
【図１】本願発明の実施の形態に係る膜エレメントを構成するエレメント単位体の平面図である。
【図２】図１のＩＩ−ＩＩ矢視図である。
【図３】図２のＩＩＩ−ＩＩＩ矢視図である。
【図４】図３のＩＶ−ＩＶ拡大断面図である。
【図５】エレメント単位体を用いた膜エレメントの製作状態説明図である。
【図６】本願発明の実施の形態に係る膜エレメントを用いて構成された膜ユニットの全体斜視図である。
【図７】図６のＶＩＩ−ＶＩＩ拡大断面図である。
【図８】エレメント単位体の他の構造例を示す平面図である。
【図９】図８に示したエレメント単位体の斜視図である。
【図１０】エレメント単位体の他の構造例を示す平面図である。
【図１１】図１０に示したエレメント単位体の斜視図である。
【符号の説明】
【００５８】
１      ・・エレメント単位体
２      ・・支持枠
３      ・・膜
１０    ・・膜エレメント
１１    ・・水路
１２    ・・通風路
１３    ・・水路管
１４    ・・マニホールド
２３    ・・セパレータ
２４    ・・開口部
２５    ・・凹部
２６    ・・水出入孔
３１    ・・水出入口
３２    ・・水出入口
Ａ      ・・空気流
Ｗ      ・・水
Ｕ      ・・膜ユニット
【図１】
2005279465.tif 000003
【図２】
2005279465.tif 000004
【図３】
2005279465.tif 000005
【図４】
2005279465.tif 000006
【図５】
2005279465.tif 000007
【図６】
2005279465.tif 000008
【図７】
2005279465.tif 000009
【図８】
2005279465.tif 000010
【図９】
2005279465.tif 000011
【図１０】
2005279465.tif 000012
【図１１】
2005279465.tif 000013